(57)【特許請求の範囲】
【請求項１】
パチンコ玉が１列ずつ整列して走行する傾斜したパチンコ玉走行路を複数列横方向に並設し、各パチンコ玉走行路を走行するパチンコ玉を一対の投受光器で検出してパチンコ玉の数を計数するパチンコ玉計数装置において、
隣合うパチンコ玉走行路を隔てた各仕切り板にセンサ収容穴を設け、パチンコ玉走行路の両側の仕切り板の各センサ収容穴に、対向するように一対の投光器と受光器とをそれぞれ収容し、前記仕切り板の前記センサ収容穴の外側下部において、対向する前記仕切り板の距離が狭くなるように形成された膨出部を設け、前記パチンコ玉は、前記膨出部に沿って流れ、前記投受光器の光が通過する仕切り板の部分には接触しないことを特徴とするパチンコ玉計数装置。
【請求項２】
前記各センサ収容穴ごとに、異なる対をなす投光器と受光器とを、パチンコ玉走行方向に沿って２列に収容したことを特徴とする請求項１記載のパチンコ玉計数装置。
【請求項３】
前記パチンコ玉走行路の上流側を下流側よりパチンコ玉の走行時の接触摩擦力が大となるように構成して、パチンコ玉の走行速度が下流側の方が大となるようにしたことを特徴とする請求項１記載のパチンコ玉計数装置。
【請求項４】
前記パチンコ玉走行路が上段走行ケースと下段走行ケースに形成され、該上段走行ケースの終端部から落下したパチンコ玉を該下段走行ケースで受けて上段走行ケースと逆方向に走行させ、該下段走行ケースの終端部に投受光器を設けたことを特徴とする請求項１記載のパチンコ玉計数装置。
【請求項５】
前記下段走行ケースのパチンコ玉走行路の傾斜度が前記上段走行ケースの走行路の傾斜度より大にされた請求項３記載のパチンコ玉計数装置。
【発明の詳細な説明】
【０００１】
【発明の属する技術分野】
本発明はパチンコ玉を走行路を走行させつつ計数するパチンコ玉計数装置に関する。
【０００２】
【従来の技術】
パチンコ遊技店でパチンコ玉を計数する従来のパチンコ玉計数装置は、特開平５−３３７２４５に示されているように、水平面に対して垂直な複数の仕切り板で分割された複数のパチンコ玉走行路を並列状に設けて、落下して来た多数のパチンコ玉を各走行路ごとに整列させて、傾斜に沿って転動走行させ、各走行路の終端部ごとに、隣合う２つの仕切り板の間で上下に一対をなす投光器と受光器とを設けて、パチンコ玉の通過で上下方向光が遮断されるか否かで検出して計数するように構成されている。
【０００３】
【発明が解決しようとする課題】
しかしながら、従来のパチンコ玉計数装置では、前記したように隣合う２つの仕切り板の間のパチンコ玉走行路の上下に一対の投光器と受光器を設置しているため、転動するパチンコ玉から生じるゴミやほこりが下方にある投光器（または受光器）に直接降りかかって付着・堆積し、長期使用すると、受光量が低下したり受光が不能になって、パチンコ玉の計数が不安定になったり不可能になるという不都合があった。
【０００４】
また、同時的に多量のパチンコ玉をパチンコ玉計数装置に落下させると各走行路に多数のパチンコ玉がブリッジ状に積み重なって詰まり走行不能になることがあるため、走行路に特別なブリッジ現象防止装置を付加しなければならず構造複雑、コスト高となる不都合もあった。
【０００５】
また、パチンコ玉走行路が一定の傾斜で連続しているため、パチンコ玉が数珠つなぎに連続して走行することが多いため、１個１個のパチンコ玉の計数が不安定となり、計数誤りを生じるという不都合もあった。
本発明はこれらの問題を解決したパチンコ玉計数装置を提供することを目的としている。
【０００６】
【課題を解決するための手段】
前記目的を達成するために、本発明の請求項１では、隣合うパチンコ玉走行路を隔てた各仕切り板にセンサ収容穴を設け、パチンコ玉走行路の両側の仕切り板の各センサ収容穴に、対向するように一対の投光器と受光器とをそれぞれ収容しているため、一対の投光器と受光器はパチンコ玉走行路の水平方向の両側にある仕切り板の穴内にあって仕切り板でパチンコ玉から隔てられており、また、仕切り板のセンサ収容穴の外側下部において、対向する仕切り板の距離が狭くなるように膨出部を設け、パチンコ玉は、膨出部に沿って流れるため、投受光器の光が通過する仕切り板の部分には接触せず、パチンコ玉からのゴミやほこりが投光器と受光器に付着・堆積することがないので、長期使用してもパチンコ玉の検出が不安定になったり、不可能になるのを防ぐことができる。
【０００７】
また、請求項２では、前記各センサ収容穴ごとに、異なる対をなす投光器と受光器とを、パチンコ玉走行方向に沿って２列に収容しているので、仕切り板のセンサ収容穴の幅が１つの投光器あるいは１つの受光器分の幅で済む。
【０００９】
また、請求項３では、パチンコ玉走行路の上流側を下流側よりパチンコ玉の走行時の接触摩擦力が大となるように構成して、パチンコ玉の走行速度が下流側の方が大となるようにしたので、パチンコ玉が走行の途中から速度が増して、例え数珠つなぎに複数のパチンコ玉が連なって走行していても途中から間をあけて分離して走行するため、パチンコ玉の計数動作が安定化する。
【００１０】
また、請求項４では、パチンコ玉走行路が上段走行ケースと下段走行ケースに形成され、該上段走行ケースの終端部から落下したパチンコ玉を該下段走行ケースで受けて上段走行ケースと逆方向に走行させ、該下段走行ケースの終端部に投受光器を設けたので、長手方向に小さいスペースしか取れなくても走行距離を長くでき、このため多量のパチンコ玉を短時間に集中的に走行させることができ、処理能力が増大する。
【００１１】
また、請求項５では、下段走行ケースのパチンコ玉走行路の傾斜度が前記上段走行ケースの走行路の傾斜度より大にしたので、パチンコ玉は下段走行ケースで走行速度が増し、数珠つなぎのパチンコ玉が走行中に自然に間をあけて分離され、このため計数動作が安定化する。
【００１２】
【発明の実施の形態】
以下、図面に基づいて本発明の実施の形態を説明する。
図１９はパチンコ玉を一台のパチンコ台で循環使用する単独機能型のパチンコ遊技装置１０を示すもので、上部タンク１１内のパチンコ玉は上部シュート１２を介してパチンコ台１３及び玉貸機１４へ自重によって補給される。パチンコ台１３からパチンコ遊技装置１０内へ落下するパチンコ玉は下部タンク１５へ落下する。下部タンク１５内のパチンコ玉は下部シュート１６を介して揚送装置１７の下端部へ自重によって送られ、揚送装置１７によって上部タンク１１に揚送され、このようにして一台のパチンコ遊技装置１０内でパチンコ玉が循環使用される。パチンコ遊技による賞球はパチンコ台１３の前面側下部の玉箱１８に排出される。
【００１３】
操作レバー１８ａを操作すると、玉箱１８の開閉シャッタ（図示せず）が開き、パチンコ玉計数装置２０に落下して計数され、下部タンク１５へ落下する。
パチンコ玉計数装置２０は図１、２に示すように上方から落下してきたパチンコ玉を受けて、傾斜した複数の走行路に沿って走行させてその終端部で下方へ落下させる上段走行ケース３０と、上段走行ケース３０の走行路の終端部から落下したパチンコ玉を受けて複数の走行路を走行させてその終端部から下部タンク１５へ落下させる下段走行ケース６０から成り、下段走行ケース６０の各走行路の終端部に設けたセンサユニット８０によってパチンコ玉が計数される。
【００１４】
上段走行ケース３０（図３〜７に示す）はプラスチックによって一体成形されたものであって、互いに平行な長方形状の長手方向の側壁３１、３２と、これらの側壁３１、３２に垂直な長方形状の側壁３３、３４とを備えている。
【００１５】
側壁３１、３２の長手方向の一端側の上端には、受け皿５０を摺動自在に受け入れるための水平な張り出し部３５、３５（図３）が外方に向かって突設され、この張り出し部３５、３５から垂直に一端に水平方向の切欠き３６ａ、３６ａを有する縁板３６、３６が突設されている。
【００１６】
受け皿５０は、図８に示すように、多数の円形の穴５１を有する四角形の底板５２と、底板５２の四辺に上方に突設された枠板５３と、一端に水平方向外方に突出したストッパ５４ａを有する枠板５３の下端から突設された水平な縁板５４とを備えている。図９に示すように上段走行ケース３０の一端側から水平方向に受け皿５０の両側を前記張り出し部３５に乗せて、ストッパ５４ａ、５４ａが縁板３６、３６の切欠き３６ａ、３６ａの奥部に当接するまで押し込むことによって、受け皿５０は上段走行ケース３０の一端側上面に着脱自在に装着される。
【００１７】
受け皿５０の多数の穴５１は、パチンコ玉は通すが、それより直径の大きいコインなどの異物は通さない直径であって、底板５２全体に均等に配置されている。
【００１８】
この受け皿５０は、図２に示すように、玉箱１８から落下したパチンコ玉Ｐを枠板５３内に受け入れ、多数の穴５１から底板５２全体に均等にパチンコ玉Ｐを落下させる役割と、遊技者がコインなどの異物を玉箱１８に落とし、玉箱１８から受け皿５０に落下しても上段走行ケース３０への落下を防ぐ役割とを担っている。
【００１９】
上段走行ケース３０には、この受け皿５０の下部から長手方向の中央近傍にわたって、図３、５、６に示すように幅方向に水平な上端面３７ａの両側にテーパー面３７ｂ、３７ｂを有する互いに平行な複数（この実施形態では６本）の玉受けレール３７、３７、…が長手方向に互いに等間隔で且つ中央方向へ下り勾配に設けられている。隣合う２つの玉受けレール３７、３７の対向したテーパー面３７ｂ、３７ｂの下端間の距離Ａはパチンコ玉の直径より小さく、対向したテーパー面３７ｂ、３７ｂの上端間の距離Ｂはパチンコ玉の直径より大に設定されている。
【００２０】
従って、受け皿５０の穴５１から落下したパチンコ玉Ｐは、図６に示すように隣合う２つの玉受けレール３７、３７の対向したテーパー面３７ｂ、３７ｂに両側下部が接触した状態で玉受けレール３７、３７の長手方向中央側への傾斜によって自重によって転動しつつ自然走行する。
【００２１】
なお、最外側の玉受けレール３７のテーパー面３７ｂと対向して側壁３１、３２の内面には同様のテーパー面３７ｂ′が設けられ、同様にパチンコ玉は対向した両テーパー面３７ｂ、３７ｂ′に接触して転動しつつ走行する。
【００２２】
なお、玉受けレール３７の側壁３３寄りの部分は、急勾配部３７′となっていて、この急勾配部３７′に落下したパチンコ玉は勢いよく走行して下流側にあるパチンコ玉に衝突するから、この急勾配部３７′は、多量のパチンコ玉が玉受けレール３７に落下したときにパチンコ玉が重なり合って詰まるブリッジ現象を防ぐ役割を担っている。
【００２３】
玉受けレール３７、３７、…は、その下部において幅方向の横架部３８によって一体的に連結されている。
玉受けレール３７の上端面３７ａと同一幅で上端面３７ａがそのまま直線状に延長される方向に、複数の仕切り板４０、４０、…が側壁３４に達するまで設けられている。従って、隣合う２つの仕切り板４０、４０間の距離はパチンコ玉の直径より小さい前記Ｂと等しくなっている。
【００２４】
仕切り板４０は、図５に示すように、その上端面が水平な中間水平部４０ａと、この中間水平部４０ａに連続して側壁３４に向かって上り勾配の傾斜部４０ｂと、この傾斜部４０ｂに連続した水平な終端水平部４０ｃとから成る。
【００２５】
隣合う仕切り板４０、４０の中間、及び、最外側の仕切り板４０と側壁３１（３２）との中間には、側壁３４に向かって下り勾配（前記玉受けレール３７より傾斜が少し急である）の板状の板レール４１、４１、…が前記玉受けレール３７より低い位置に仕切り板４０、４０、…と平行に、且つ側壁３４の内側の落下穴４２に達する位置まで設けられている。
【００２６】
従って、受け皿５０の穴５１から落下して、図６に示すように下り勾配の隣合う２つの玉受けレール３７、３７の対向したテーパー面３７ｂ、３７ｂ（あるいは最外側の玉受けレール３７と側壁３１、３２の対向したテーパー面３７ｂ、３７ｂ′）に両側下部が接した状態で転動走行してきたパチンコ玉Ｐは、図７に示すようにそのまま隣合う仕切り板４０、４０（あるいは最外側の仕切り板４０と側壁３１、３２）の間に落下して、下り勾配の板レール４１に点接触した状態で転動走行し、その終端の落下穴４２から落下する。
【００２７】
なお多数のパチンコ玉が受け皿５０から落下すると、テーパー面３７ｂ、３７ｂに接触した２つのパチンコ玉の上に別のパチンコ玉が重なった状態となって走行する場合も生じる。また、受け皿５０から落下したパチンコ玉がテーパー面３７ｂ、３７ｂに接触せず、玉受けレール３７の上端面３７ａの上を走行する場合も生じる。
【００２８】
このような状態で走行してきたパチンコ玉は、玉受けレール３７の終端部からそのまま仕切り板４０の上端面に乗って走行する場合も生じるが、このような場合には、仕切り板４０の上り勾配の傾斜部４０ｂで走行速度が激減するため仕切り板４０の幅方向のいずれかへ落下して、以降は板レール４１上を走行する。
【００２９】
なお、板レール４１に乗ったパチンコ玉は点接触状態で且つ大きな傾斜によって走行するのに対し、玉受けレール３７は下流側の板レール４１より傾斜がゆるく、且つ両側の対向したテーパー面３７ｂ、３７ｂ（あるいは３７ｂ、３７ｂ′）に両側が接触して、板レール４１より２倍の接触摩擦力を受ける状態で走行するため、玉受けレール３７の部分より次の板レール４１の部分でパチンコ玉の走行速度は大となる。
【００３０】
また、玉受けレール３７の終端部と板レール４１の始端部には、図５に示すように上下に段差があるため、パチンコ玉は玉受けレール３７の終端部から下方にある板レール４１に飛び乗るように進むから、この点でも走行速度がアップする。
【００３１】
従って、受け皿５０から同時的に多量のパチンコ玉が落下して、パチンコ玉同士が連続密着状態で玉受けレール３７の部分を走行していても、次の板レール４１の部分で走行速度がアップするため、連続密着状態のパチンコ玉が分離され、間をあけた状態で走行するようになるため、下段走行ケース６０でのパチンコ玉の計数動作が安定化する。
【００３２】
板レール４１と仕切り板４０（あるいは最外側の板レール４１と側壁３１、３２）とは、横架部４３によって一体的に連結されている。なお、終端部の側壁３４の内側には仕切り板４０、４０（あるいは最外側の仕切り板４０と側壁３１、３２）の中間において、パチンコ玉がブリッジ状に積み重なっていても落下穴４２をパチンコ玉が１個ずつしか通らないように、側壁３４下方側の突出幅が漸減した突片４４、４４、…が、落下穴４２の上方において突設されている。
【００３３】
上段走行ケース３０の側壁３１、３２の終端部には、外方に向かって取付片４５、４５（図３、４）が突設され、この取付片４５から下方に向かって四角柱状の嵌合突起４６（図４、５）が突設されている。
【００３４】
下段走行ケース６０（図１０〜図１４に示す）は、平行部６１ａ、６２ａと、該平行部６１ａ、６２ａから末広がりに直線状に拡開した拡開部６１ｂ、６２ｂとからなる側壁６１、６２を有する。
【００３５】
この側壁６１、６２の平行部６１ａ、６２ａは、上段走行ケース３０の側壁３１、３２に対応した下方位置にあり、この側壁６１、６２の平行部６１ａ、６２ａの端部には、上段走行ケース３０の前記嵌合突起４６、４６が嵌合される四角形の嵌合穴６３ａ、６３ａを有する結合突体６３、６３が外方に向かって突設されていて、図１に示すように、この下段走行ケース６０の結合突体６３、６３の嵌合穴６３ａ、６３ａに上段走行ケース３０の嵌合突起４６、４６を嵌合することによって上段走行ケース３０と下段走行ケース６０は結合されている。
【００３６】
下段走行ケース６０は透明なプラスチックによって一体成形されたものであって、前記互いに平行な側壁６１、６２の平行部６１ａ、６２ａ間には、前記上段走行ケース３０の仕切り板４０、４０、…に対応した下方位置に、上端面の高さが平行部６１ａ、６２ａの上端面の高さに一致する複数の仕切り板６５、６５、…が設けられている。
【００３７】
隣合う２つの仕切り板６５、６５の間（あるいは最外側の仕切り板６５と平行部６１ａ、６２ａの間）には、始端側から終端側へ向かって下り勾配の板レール６６、６６、…が設けられている。なお、板レール６６の側壁６７寄りの部分は急勾配部６６ａとなっている。
【００３８】
従って、上段走行ケース３０の各落下穴４２、４２、…から落下したパチンコ玉Ｐはそれぞれ隣合う２つの仕切り板６５、６５の間（あるいは最外側の仕切り板６５と平行部６１ａ、６２ａの間）の間に落下して、急勾配部６６ａに衝突して速度を増大させて、図１３に示すように各板レール６６に一点接触した状態で傾斜に従って走行する。この板レール６６の傾斜は上段走行ケース３０の板レール４１の傾斜よりさらに大となっているので、パチンコ玉の走行速度は上段走行ケース３０の板レール４１上での走行速度よりもさらに大となる。
【００３９】
側壁６１、６２の末広がりの拡開部６１ｂ、６２ｂは図１、１１に示すように終端部に向かって次第に高さが漸減している。図１０に示すように、この拡開部６１ｂ、６２ｂにおいて、隣合う２つの仕切り板６５、６５の間（あるいは最外側の仕切り板６５と平行部６１ａ、６２ａの間）に形成された走行路は、同一幅を保ったまま直線状に末広がりに拡開した方向に向かっていて、このため板レール６６、６６、…は同一傾斜を保ったまま末広がりに方向を変えている。しかして、各走行路が同一幅を保つように各仕切り板６５、６５、…は、その厚さが終端側へ向かって次第に漸増した漸増部６５ａとなっている。そして、走行路の終端部は互いに平行になっていて、パチンコ玉はこの終端部を通過して、下部タンク１５へ落下する。
【００４０】
図１２に示すように、仕切り板６５、６５、…は、その互いに平行な終端部において高さが低くなっていて、その上面に図１０、１２に示すようにセンサ収容穴７０、７０、…が設けられている。また、この終端部の幅方向の両側の肉厚部６８、６８にも同様のセンサ収容穴７０ａ、７０ａが設けられ、そのさらに外側にセンサユニット８０を取付けるための突起７１、７１が設けられている。
【００４１】
板レール６６と仕切り板６５（あるいは最外側の板レール６６と側壁６１、６２）とは、横架材７２によって一体的に連結されている。センサユニット８０は、図１５、１６に示すように、その一面が開口した中空箱状のケース８１内には、コ字状の投受光器８２、８２、…が取付けられた基板８３が収容されている。投受光器８２は互い違いに２列に配置され、ケース８１の底板８１ａに設けられた各長穴８４、８４、…から、別々の投受光器８２の投光部８２ａと受光部８２ｂとがパチンコ玉の走行方向に並んで外方へ突出している。８５はケース８１に取付けられる蓋を示している。
【００４２】
この底板８１ａの両端の取付け穴８６、８６内に下段走行ケース６０の終端部両側の突起７１、７１を嵌め込んでネジ止めすることによって、センサユニット８０は下段走行ケース６０の終端部に取付けられ、仕切り板６５、６５、…（及び両側の肉厚部６８、６８）のセンサ収容穴７０、７０、…に一対の投受光器８２、８２、…の各投光部８２ａ、８２ａ、…及び受光部８２ｂ、８２ｂ、…がパチンコ玉の走行方向に２列に並んで収容されている。
【００４３】
従って図１７に示すように一対の投受光器８２の投光部８２ａと受光部８２ｂとは１つの走行路を隔てた隣合う２つの仕切り板６５、６５（あるいは肉厚部６８）のセンサ収容穴７０、７０（あるいは７０ａ）に収容されている。パチンコ玉Ｐが走行路に存在しない場合には、投光部８２ａからの光は透明な仕切り板６５、６５を透過して受光部８２ｂに受光され、存在する場合には遮られて受光されない。従って、この受光の有無によって、すべての走行路の終端部で一対の投受光器８２、８２、…によってパチンコ玉の通過が検出されて計数される。
【００４４】
このように一対の投光部８２ａと受光部８２ｂがパチンコ玉の走行路の水平方向の両側に配置され、しかも、仕切り板６５のセンサ収容穴７０内に収容されて外部からカバーされているので、長期使用しても、パチンコ玉の走行によってパチンコ玉から発散されるゴミや汚れが投受光器８２の表面に付着堆積せず、汚れの付着による検出誤りや検出不能を生じにくくなる。
【００４５】
なお、図１８に示すように、仕切り板６５のセンサ収容穴７０内の投受光器８２の高さの位置にパチンコ玉が接触して汚れが付着しないように、即ち、センサ収容穴７０の高さで仕切り板６５に走行中のパチンコ玉が接触するのを防ぐために、仕切り板６５の下部に膨出部６５′を設けてもよい。
【００４６】
上段走行ケース３０及び下段走行ケース６０は、図１に示すようにブラケット９０に固定されていて、図１９に示すようにパチンコ遊技装置１０の前面の穴２０ａに前面側から挿入して取付けられ、玉箱１８の開閉シャッタが開かれて落下してくるパチンコ玉を受け皿５０で受けて、計数後、下部タンク１５へパチンコ玉を排出する。
【００４７】
なお、前記実施形態では、パチンコ玉計数装置を一台のパチンコ遊技装置１０内でパチンコ玉を循環させる単独機能型のパチンコ遊技装置内に設置した例を説明したが、本発明のパチンコ玉計数装置はこれに限定されるものではなく、要はパチンコ玉を計数するすべての用途に用いることができるものであることは勿論である。
【００４８】
【発明の効果】
本発明は、以上のように構成されているので、請求項１では、隣合うパチンコ玉走行路を隔てた各仕切り板にセンサ収容穴を設け、パチンコ玉走行路の両側の仕切り板の各センサ収容穴に、対向するように一対の投光器と受光器とをそれぞれ収容しているため、一対の投光器と受光器はパチンコ玉走行路の水平方向の両側にある仕切り板の穴内にあって仕切り板でパチンコ玉から隔てられており、また、仕切り板のセンサ収容穴の外側下部において、対向する仕切り板の距離が狭くなるように膨出部を設け、パチンコ玉は、膨出部に沿って流れるため、投受光器の光が通過する仕切り板の部分には接触せず、パチンコ玉からのゴミやほこりが投光器と受光器に付着・堆積することがないので、長期使用してもパチンコ玉の検出が不安定になったり、不可能になるのを防ぐことができる。
【００４９】
また、請求項２では、前記各センサ収容穴ごとに、異なる対をなす投光器と受光器とを、パチンコ玉走行方向に沿って２列に収容しているので、仕切り板のセンサ収容穴の幅が１つの投光器あるいは１つの受光器分の幅で済む。
【００５１】
また、請求項３では、パチンコ玉走行路の上流側を下流側よりパチンコ玉の走行時の接触摩擦力が大となるように構成して、パチンコ玉の走行速度が下流側の方が大となるようにしたので、パチンコ玉が走行の途中から速度が増して、例え数珠つなぎに複数のパチンコ玉が連なって走行していても途中から間をあけて分離して走行するため、パチンコ玉の計数動作が安定化する。
【００５２】
また、請求項４では、パチンコ玉走行路が上段走行ケースと下段走行ケースに形成され、該上段走行ケースの終端部から落下したパチンコ玉を該下段走行ケースで受けて上段走行ケースと逆方向に走行させ、該下段走行ケースの終端部に投受光器を設けたので、長手方向に小さいスペースしか取れなくても走行距離を長くでき、このため多量のパチンコ玉を短時間に集中的に走行させることができ、処理能力が増大する。
【００５３】
また、請求項５では、下段走行ケースのパチンコ玉走行路の傾斜度が前記上段走行ケースの走行路の傾斜度より大にしたので、パチンコ玉は下段走行ケースで走行速度が増し、数珠つなぎのパチンコ玉が走行中に自然に間をあけて分離され、このため計数動作が安定化する。
【図面の簡単な説明】
【図１】本発明の一実施形態を示す側面図
【図２】同実施形態のブラケットを除外して描いた断面図
【図３】同実施形態の上部走行ケースを示す平面図
【図４】図３の上部走行ケースの左側面図
【図５】図３におけるＡ−Ａ線断面図
【図６】図３におけるＢ−Ｂ線断面図
【図７】図３におけるＣ−Ｃ線断面図
【図８】同実施形態の受け皿を示す平面図
【図９】受け皿を装着した状態の要部を示す平面図
【図１０】同実施形態の下部走行ケースを示す平面図
【図１１】図１０の下部走行ケースの左側面図
【図１２】図１０におけるＤ−Ｄ線断面図
【図１３】図１０におけるＥ−Ｅ線断面図
【図１４】図１０におけるＦ−Ｆ線断面図
【図１５】同実施形態のセンサユニットを示す底面図
【図１６】図１５のセンサユニットを装着した状態の断面図
【図１７】図１５のセンサユニットを装着した状態の平面図
【図１８】本発明の他の実施形態の要部を示す断面図
【図１９】パチンコ遊技装置を示す概略構成図
【符号の説明】
１０  パチンコ遊技装置
２０  パチンコ玉計数装置
３０  上段走行ケース
３５  張り出し部
３７  玉受けレール
３７ｂ  テーパー面
４０  仕切り板
４１  板レール
４２  落下穴
５０  受け皿
５１  穴
５４ａ  ストッパ
６０  下段走行ケース
６５  仕切り板
６６  板レール
７０  センサ収容穴
７０ａ  センサ収容穴
８０  センサユニット
８２  投受光器
８２ａ  投光器
８２ｂ  受光器
【図１】
0004138038.tif 000002
【図２】
0004138038.tif 000003
【図３】
0004138038.tif 000004
【図４】
0004138038.tif 000005
【図５】
0004138038.tif 000006
【図６】
0004138038.tif 000007
【図７】
0004138038.tif 000008
【図８】
0004138038.tif 000009
【図９】
0004138038.tif 000010
【図１０】
0004138038.tif 000011
【図１１】
0004138038.tif 000012
【図１２】
0004138038.tif 000013
【図１３】
0004138038.tif 000014
【図１４】
0004138038.tif 000015
【図１５】
0004138038.tif 000016
【図１６】
0004138038.tif 000017
【図１７】
0004138038.tif 000018
【図１８】
0004138038.tif 000019
【図１９】
0004138038.tif 000020